(57)【要約】      （修正有）【課題】住戸内外にて発生したセキュリティ異常を住戸の外壁等の影響を受けずに適切かつ迅速に警報報知させ防犯性や安全性を高める。【解決手段】玄関子機１と居室親機２を有線接続するケーブルＬ1の途中に、住戸内のセキュリティ送信機３からの異常信号が無線受信されるセキュリティ親機４と住戸外のセキュリティ送信機５からの異常信号が無線受信されるセキュリティ受信機６とを接続する。住戸内にて異常が発生した場合、この異常を検出したセキュリティ親機の制御により居室親機にて警報報知を行うほか、セキュリティ親機の制御によりセキュリティ受信機を介して無線通信が可能な警報機７にて警報報知を行う。また、住戸外にてセキュリティ異常が発生した場合には、この異常をセキュリティ受信機を介して検出したセキュリティ親機の制御により居室親機にて警報報知を行うほか、セキュリティ親機の制御により無線通信可能な警報機７にて警報報知を行う。【選択図】図１
2006065468.tif 000002
【特許請求の範囲】
【請求項１】
玄関に設置されカメラ（１０１）を有する玄関子機（１）と、住戸内に設置されケーブル（Ｌ1）を介して前記玄関子機が有線接続され、前記玄関子機の前記カメラにて撮像された映像を表示するためのモニタ（２０１）を有する居室親機（２）とを備え、
前記住戸内に設置されるセキュリティ送信機（３）と無線通信が可能なセキュリティ親機（４）を前記玄関子機および前記居室親機の間の前記ケーブルの途中に接続し、
前記セキュリティ送信機からのセキュリティ信号は、呼出送出回路（４０６）にて前記居室親機を呼び出すための呼出信号を生成させ、前記居室親機から警報音として鳴動することを特徴とするセキュリティインターホン装置。
【請求項２】
玄関に設置されカメラ（１０１）を有する玄関子機（１）と、住戸内に設置されケーブル（Ｌ1）を介して前記玄関子機が有線接続され、前記玄関子機の前記カメラにて撮像された映像を表示するためのモニタ（２０１）を有する居室親機（２）とを備え、
前記住戸内に設置されるセキュリティ送信機（３）と無線通信が可能なセキュリティ親機（４）を前記玄関子機および前記居室親機の間の前記ケーブルの途中に接続し、
前記玄関子機からの呼出信号は、前記セキュリティ親機の呼出送出回路（４０６）にて前記居室親機を呼び出すための呼出信号を生成させ、前記居室親機から呼出音として放音するとともに、前記セキュリティ送信機からのセキュリティ信号は、前記呼出送出回路にて前記居室親機を呼び出すための呼出信号を生成させ、前記居室親機から警報音として鳴動することを特徴とするセキュリティインターホン装置。
【請求項３】
前記セキュリティ親機に前記セキュリティ信号が入力されるとき描画を行うための描画回路（４０７）を備え、前記警報音の鳴動時に前記描画回路にて生成されたセキュリティ画面を前記居室親機の前記モニタにセキュリティ表示することを特徴とする請求項１または請求項２記載のセキュリティインターホン装置。
【請求項４】
住戸外に設置されるセキュリティ送信機（５）と無線通信が可能なセキュリティ受信機（６）を前記玄関子機および前記セキュリティ親機の間の前記ケーブルの途中に接続し、
前記セキュリティ送信機からのセキュリティ信号は、前記セキュリティ受信機の住戸外受信回路（６０４）にて受信され、前記セキュリティ親機の前記呼出送出回路にて前記居室親機を呼び出すための呼出信号を生成させ、前記居室親機から警報音として鳴動することを特徴とする請求項１乃至請求項３のうち何れか１項記載のセキュリティインターホン装置。
【請求項５】
前記セキュリティ送信機はセンサカメラおよびセンサライトカメラのうち何れか１つであり、前記何れか１つのカメラにて撮像されたセキュリティ映像信号を生成し、前記警報音の鳴動時に前記セキュリティ映像信号を前記居室親機の前記モニタにセキュリティ表示することを特徴とする請求項４記載のセキュリティインターホン装置。
【請求項６】
前記警報音の鳴動時に前記セキュリティ親機にて生成され、前記セキュリティ受信機の住戸外送信回路（６０６）を介して送信される警報信号により音および／または光で警報報知するための警報機（７）を備えたことを特徴とする請求項４または請求項５記載のセキュリティインターホン装置。
【請求項７】
前記玄関子機および前記居室親機の間が通話中または前記玄関子機のカメラにて撮像された映像の表示中は、前記玄関子機および前記居室親機の間が直接接続され、前記通話中または前記表示中以外は前記セキュリティ親機および前記セキュリティ受信機の間を直接接続するための切替回路（４１２、４１３、６０９、６１０）を前記セキュリティ親機と前記セキュリティ受信機とにそれぞれ備えたことを特徴とする請求項４乃至請求項６のうち何れか１項記載のセキュリティインターホン装置。
【請求項８】
前記セキュリティ親機に前記玄関子機および前記セキュリティ受信機を動作させるために必要な電源を供給する住戸外用電源回路（４０４）を備えたことを特徴とする請求項４乃至請求項７のうち何れか１項記載のセキュリティインターホン装置。
【請求項９】
前記セキュリティ受信機に子機用電源回路（６０２）を備え、前記玄関子機は待受時において前記子機用電源回路からの電源供給を受け、通話時においては前記居室親機からの電源供給を受けることを特徴とする請求項４乃至請求項８のうち何れか１項記載のセキュリティインターホン装置。
【請求項１０】
前記セキュリティ送信機は、前記セキュリティ受信機と無線通信が可能な送信回路（５０７）と、太陽電池（５０３）および充電池（５０４）とを備えたことを特徴とする請求項４乃至請求項９のうち何れか１項記載のセキュリティインターホン装置。
【発明の詳細な説明】
【技術分野】
【０００１】
本発明はセキュリティインターホン装置に係り、特に、住戸内または住戸外にて発生したセキュリティ異常を適切かつ迅速に警報報知することができるセキュリティインターホン装置に関する。
【背景技術】
【０００２】
従来から、発信器からの呼び出しをインターホン親機、インターホン副親機にてそれぞれ報知、例えば、呼出表示するにあたり、発信器からの呼出信号をワイヤレス、すなわち、無線によって発信し、この呼出信号をワイヤレスコールユニットにて受信させたインターホンシステムが開示されている（例えば、特許文献１を参照。）。
【０００３】
【特許文献１】特開２００１−４５１５９号公報（段落番号００１１〜００２２、図１〜図４）
【発明の開示】
【発明が解決しようとする課題】
【０００４】
しかしながら、従来例のインターホンシステムにおいては、発信器からの呼出信号を無線によって発信しているため、例えば、発信器を携行している人物が住戸外に居たとすると、発信器からの呼出信号の無線電波が住戸の外壁等の影響で減衰し、通常、住戸内に設置されているワイヤレスコールユニットにて受信することができず、ゆえに、インターホン親機、インターホン副親機において呼出表示も行われない虞があった。
【０００５】
また、従来例のような無線による発信機能を備えた発信器として、住戸外にて発生したセキュリテ異常を検出するための送信機を適用した場合においても、この送信機から送信されるセキュリティ信号の無線電波が住戸の外壁等の影響で減衰し、通常、住戸内に設置されている受信機にて受信することができず、ゆえに、適切かつ迅速な警報報知も行われず防犯性や安全性が低下していた。
【０００６】
本発明は、前述の難点を解消するためになされたもので、送信機から無線によって送信されるセキュリティ信号を、セキュリティ異常が発生した住戸内または住戸外の何れかの環境下の受信機器にて受信させ、これら受信機器の間を有線接続することにより、住戸内または住戸外にて発生したセキュリティ異常を住戸の外壁等の影響を受けずに適切かつ迅速に警報報知させて防犯性や安全性を高めたセキュリティインターホン装置を提供することを目的としている。
【課題を解決するための手段】
【０００７】
前述の目的を達成するため、本発明のセキュリティインターホン装置は、玄関に設置されカメラを有する玄関子機と、住戸内に設置されケーブルを介して玄関子機が有線接続され、玄関子機のカメラにて撮像された映像を表示するためのモニタを有する居室親機とを備えており、住戸内に設置されるセキュリティ送信機と無線通信が可能なセキュリティ親機を玄関子機および居室親機の間のケーブルの途中に接続し、セキュリティ送信機からのセキュリティ信号は、呼出送出回路にて居室親機を呼び出すための呼出信号を生成させ、居室親機から警報音として鳴動するものである。
【０００８】
また、本発明のセキュリティインターホン装置は、玄関に設置されカメラを有する玄関子機と、住戸内に設置されケーブルを介して玄関子機が有線接続され、玄関子機のカメラにて撮像された映像を表示するためのモニタを有する居室親機とを備えており、住戸内に設置されるセキュリティ送信機と無線通信が可能なセキュリティ親機を玄関子機および居室親機の間のケーブルの途中に接続し、玄関子機からの呼出信号は、セキュリティ親機の呼出送出回路にて居室親機を呼び出すための呼出信号を生成させ、居室親機から呼出音として放音するとともに、セキュリティ送信機からのセキュリティ信号は、呼出送出回路にて居室親機を呼び出すための呼出信号を生成させ、居室親機から警報音として鳴動するものである。
【０００９】
また、本発明のセキュリティインターホン装置は、セキュリティ親機にセキュリティ信号が入力されるとき描画を行うための描画回路を備え、警報音の鳴動時に描画回路にて生成されたセキュリティ画面を居室親機のモニタにセキュリティ表示するものである。
【００１０】
また、本発明のセキュリティインターホン装置は、住戸外に設置されるセキュリティ送信機と無線通信が可能なセキュリティ受信機を玄関子機およびセキュリティ親機の間のケーブルの途中に接続し、セキュリティ送信機からのセキュリティ信号は、セキュリティ受信機の住戸外受信回路にて受信され、セキュリティ親機の呼出送出回路にて居室親機を呼び出すための呼出信号を生成させ、居室親機から警報音として鳴動するものである。
【００１１】
また、本発明のセキュリティインターホン装置において、セキュリティ送信機はセンサカメラおよびセンサライトカメラのうち何れか１つであり、何れか１つのカメラにて撮像されたセキュリティ映像信号を生成し、警報音の鳴動時にセキュリティ映像信号を居室親機のモニタにセキュリティ表示するものである。
【００１２】
また、本発明のセキュリティインターホン装置は、警報音の鳴動時にセキュリティ親機にて生成され、セキュリティ受信機の住戸外送信回路を介して送信される警報信号により音および／または光で警報報知するための警報機を備えたものである。
【００１３】
また、本発明のセキュリティインターホン装置において、玄関子機および居室親機の間が通話中または玄関子機のカメラにて撮像された映像の表示中は、玄関子機および居室親機の間が直接接続され、通話中または表示中以外はセキュリティ親機およびセキュリティ受信機の間を直接接続するための切替回路をセキュリティ親機とセキュリティ受信機とにそれぞれ備えたものである。
【００１４】
また、本発明のセキュリティインターホンは、セキュリティ親機に玄関子機およびセキュリティ受信機を動作させるために必要な電源を供給する住戸外用電源回路を備えたものである。
【００１５】
また、本発明のセキュリティインターホン装置は、セキュリティ受信機に子機用電源回路を備え、玄関子機は待受時において子機用電源回路からの電源供給を受け、通話時においては居室親機からの電源供給を受けるものである。
【００１６】
また、本発明のセキュリティインターホン装置において、セキュリティ送信機は、セキュリティ受信機と無線通信が可能な送信回路と、太陽電池および充電池とを備えたものである。
【発明の効果】
【００１７】
本発明のセキュリティインターホン装置によれば、玄関に設置される玄関子機および住戸内に設置される居室親機の間を有線接続するケーブルの途中に、住戸内のセキュリティ異常を検出したセキュリティ送信機からのセキュリティ信号が無線電波にて受信されるセキュリティ親機と住戸外のセキュリティ異常を検出したセキュリティ送信機からのセキュリティ信号が無線電波にて受信されるセキュリティ受信機とをそれぞれ接続することによって、住戸内にてセキュリティ異常が発生した場合には、このセキュリティ異常を検出したセキュリティ親機の制御により居室親機にて警報報知、例えば、警報音の鳴動やセキュリティ画面のセキュリティ表示を行うことができるばかりでなく、セキュリティ親機の制御によりセキュリティ受信機を介して当該セキュリティ受信機と無線通信が可能な警報機にて警報報知、例えば、警報音の鳴動および／または光の点滅を行うことができる。また、住戸外にてセキュリティ異常が発生した場合には、このセキュリティ異常をセキュリティ受信機を介して検出したセキュリティ親機の制御により居室親機にて警報報知、例えば、警報音の鳴動やセキュリティ画面のセキュリティ表示のみならずセキュリティ映像の表示を行うことができるばかりでなく、セキュリティ親機の制御によりセキュリティ受信機を介して当該セキュリティ受信機と無線通信が可能な警報機にて警報報知、例えば、警報音の鳴動および／または光の点滅を行うことができる。これにより、住戸内または住戸外にて発生したセキュリティ異常を住戸の外壁等の影響を受けずに適切かつ迅速に警報報知することができ防犯性や安全性が高められる。
【００１８】
また、本発明のセキュリティインターホン装置によれば、玄関子機およびセキュリティ受信機を動作させるために必要な電源を、玄関子機および居室親機の間を有線接続するケーブル上に接続されたセキュリティ親機から供給でき、特に、玄関子機では、セキュリティ親機からケーブル、セキュリティ受信機を介して供給されてくる電源が待受時において必要な電源となる、一方、ケーブルを介して直接接続された居室親機から供給されてくる電源が通話時において必要な電源となり、このケーブルのみで電源用の別途の配線が不要とされ省線化が図れる。
【００１９】
さらに、本発明のセキュリティインターホン装置において、住戸外にて発生したセキュリティ異常を監視／検出するためのセキュリティ送信機は、太陽光をエネルギー変換させた電源を充電するような自己発電／充電機能が備えられており、他の機器からの電源供給を受けずに充電された電源をもとに動作することができる。
【発明を実施するための最良の形態】
【００２０】
以下、本発明のセキュリティインターホン装置を適用した最良の実施の形態例について、図面を参照して説明する。
【００２１】
図１は、本発明の実施例によるセキュリティインターホン装置を示すシステム構成図である。
【００２２】
図１のシステム構成図に示すセキュリティインターホン装置は、玄関（住戸玄関）に設置され、来訪者が住戸内に在室中の居住者を呼び出して通話を成立させるための玄関子機１と、住戸内に設置され、ケーブルＬ1を介して有線接続された玄関子機１からの呼び出しが呼出報知され、この呼び出しを確認した居住者が応答して来訪者との間で通話を成立させるための居室親機２と、住戸内に設置され、当該住戸内にて発生したセキュリティ異常、例えば、ガス漏れ、火災等の発生を監視／検出し、検出されたセキュリティ異常を示すセキュリティ信号を生成するためのセキュリティ送信機（以下、住戸内セキュリティ送信機という。）３と、玄関子機１および居室親機２の間を有線接続するケーブルＬ1の途中、ここでは、ケーブルＬ1の線路長における住戸内側に接続（介在）され、住戸内セキュリティ送信機３と無線通信が可能なセキュリティ親機４と、住戸外に設置され、当該住戸外にて発生したセキュリティ異常、例えば、居住者にとって好ましくない泥棒等の不審者の存在を監視／検出し、検出されたセキュリティ異常を示すセキュリティ信号を生成するとともに、セキュリティ異常を示す映像を撮像するためのセンサカメラおよびセンサライトカメラのうち何れか１つのカメラ、ここでは、センサカメラからなるセキュリティ送信機（以下、住戸外セキュリティ送信機という。）５と、玄関子機１および居室親機２の間を有線接続するケーブルＬ1の途中、ここでは、ケーブルＬ1の線路長における住戸外側に接続（介在）され、住戸外セキュリティ送信機５と無線通信が可能なセキュリティ受信機６と、住戸外に設置され、セキュリティ受信機６と無線通信が可能であり、住戸内セキュリティ送信機３または住戸外セキュリティ送信機５にて検出されたセキュリティ異常を音および／または光で警報報知する、例えば、警報音の鳴動および／または光の点滅で警報報知するための警報機７とから構成されている。
【００２３】
図１のシステム構成図において、玄関子機１は、玄関に居る来訪者が呼出操作を行うための呼出ボタン１００と、呼出操作を行った来訪者の映像や玄関先の周囲環境の映像（監視映像を含む）を撮像するためのＣＣＤ（Charge Coupled Devices）、ＣＭＯＳ（Complementary Metal Oxide Semiconductor）等のカメラ（以下、子機カメラという。）１０１と、（呼出操作を行った）来訪者が住戸内に在室中の居住者との間で通話を成立させるための音声（送話音声、受話音声）を入出力するマイク（以下、子機マイクという。）１０２およびスピーカ（以下、子機スピーカという。）１０３とを有している。
【００２４】
また、居室親機２は、玄関子機１からの呼び出しがある旨の呼出音を放音するとともに、住戸内セキュリティ送信機３または住戸外セキュリティ送信機５にて検出されたセキュリティ異常を示す音、例えば、警報音を鳴動するためのスピーカ（以下、親機スピーカという。）２００と、玄関子機１の子機カメラ１０１にて撮像された映像を表示（呼出表示）するとともに、住戸内セキュリティ送信機３または住戸外セキュリティ送信機５にて検出されたセキュリティ異常を示すセキュリティ画面（後述する）や当該住戸外セキュリティ送信機の後述するカメラ５０１にて撮像されたセキュリティ映像を表示（セキュリティ表示）するためのＬＣＤ（Liquid Crystal Display）、有機ＥＬ（Electro Luminescence）等のモニタ２０１と、玄関子機１からの呼び出しがあることを確認した居住者が応答し、来訪者との間で通話を成立させるための音声（送話音声、受話音声）を入出力するハンドセット（送受話器）２０２とを有しており、この居室親機２には、商用電源（ＡＣ１００Ｖ）が接続されている。
【００２５】
また、セキュリティ親機４は、住戸内セキュリティ送信機３および／または住戸外セキュリティ送信機５の動作を有効または無効とする監視状態の設定・解除を行うための警戒設定・解除ボタン４００と、住戸内または住戸外にて発生したセキュリティ異常を警報報知（詳述せず）するためのスピーカやＬＥＤ（Light Emitting Diode）、ＬＣＤ、有機ＥＬ等（図示せず）の警報報知部４０１とを有しており、このセキュリティ親機４には、商用電源（ＡＣ１００Ｖ）が接続されている。
【００２６】
また、住戸外セキュリティ送信機５は、居住者にとって好ましくない泥棒等の不審者の存在を検出（感知）するためのセンサ５００と、センサ５００にて検出（感知）された人物や当該住戸外セキュリティ送信機が設置された周囲環境のセキュリティ映像を撮像するためのＣＣＤ、ＣＭＯＳ等のカメラ（以下、送信機カメラという。）５０１とを有している。
【００２７】
図２は、本発明の実施例によるセキュリティインターホン装置の具体的な構成を示すブロック図である。
【００２８】
なお、図２のブロック図において、玄関子機１、居室親機２および住戸内セキュリティ送信機３についての具体的な構成の図示および説明、すなわち、ブロック図の図示および説明は省略する。
【００２９】
図２のブロック図において、セキュリティ親機４には、前述の警戒設定・解除ボタン４００、警報報知部４０１と、当該セキュリティ親機の構成各部／回路を制御するためのＣＰＵ（以下、親機ＣＰＵという。）４０２と、商用電源（ＡＣ１００Ｖ）を整流・平滑化させてＤＣ電源を生成し、このＤＣ電源を当該セキュリティ親機の構成各部／回路に動作電源として供給するための電源回路（以下、親機電源回路という。）４０３と、親機電源回路４０３にて生成されたＤＣ電源を玄関子機１および住戸外セキュリティ受信機６を動作させるために必要な電源として供給する住戸外用電源回路４０４と、住戸内セキュリティ送信機３から無線電波で送信されてくるセキュリティ信号を受信するための住戸内受信回路４０５と、居室親機２の親機スピーカ２００から呼出音または警報音を放音／鳴動させるための呼出信号を生成する呼出送出回路４０６と、居室親機２の親機スピーカ２００から警報音を鳴動させるのと同じタイミングでモニタ２０１に出画させるセキュリティ画面の描画を行うための描画回路４０７と、描画回路４０７にて描画されたセキュリティ画面であり信号処理された画面信号を変調（ＦＭ変調）するための変調回路（以下、親機変調回路という。）４０８と、住戸外セキュリティ送信機５の送信機カメラ５０１にて撮像されたセキュリティ映像であり復調（ＦＭ復調）されたＦＭ信号のノイズ成分を除去して通過させるためのフィルタ回路４０９と、呼出送出回路４０６、親機変調回路４０８、フィルタ回路４０９の各部／回路および後述する切替回路４１２の間で送受信される各種信号、動作電源（ＤＣ電源）の伝送ラインを形成するためのインターフェース（以下、居室側親機Ｉ／Ｆという。）４１０と、親機ＣＰＵ４０２、住戸外用電源回路４０４、フィルタ回路４０９の各部／回路および後述する切替回路４１３の間で送受信される各種信号、動作電源（ＤＣ電源）の伝送ラインを形成するためのインターフェース（以下、住戸外側親機Ｉ／Ｆという。）４１１と、玄関子機１および居室親機２の間が通話中、または当該玄関子機の子機カメラ１０１にて撮像された映像が当該居室親機のモニタ２０１に表示中の場合には、ケーブルＬ1を介して玄関子機１および居室親機２の間を直接接続させるように第１の接点Ｐ1がメイクされる、一方、前述の通話中または表示中以外、例えば、待受時においては、ケーブルＬ1を介して当該セキュリティ親機およびセキュリティ受信機６の間を直接接続させるように第２の接点Ｐ2がメイクされる切替回路（以下、居室側親機切替回路、住戸外側親機切替回路とそれぞれいう。）４１２、４１３とが備えられている。
【００３０】
また、住戸外セキュリティ送信機５には、前述のセンサ５００、送信機カメラ５０１と、当該住戸外セキュリティ送信機の構成各部／回路を制御するためのＣＰＵ（以下、送信機ＣＰＵという。）５０２と、太陽光をＤＣ電源にエネルギー変換するための太陽電池５０３と、太陽電池５０３にてエネルギー変換されたＤＣ電源を充電するための充電池５０４と、充電池５０４に充電されたＤＣ電源を当該住戸外セキュリティ送信機の構成各部／回路に動作電源として供給するための電源回路（以下、送信機電源回路という。）５０５と、送信機カメラ５０１にて撮像された映像であり信号処理されたセキュリティ映像信号を変調（ＦＭ変調）するための変調回路（以下、送信機変調回路という。）５０６と、当該住戸外セキュリティ送信機のセンサ５００にて検出（感知）されたセキュリティ信号を無線電波でセキュリティ受信機６へと送信するとともに、送信機変調回路５０６を介して変調（ＦＭ変調）されたＦＭ信号を無線電波でセキュリティ受信機６へと送信するための送信回路５０７とが備えられている。
【００３１】
さらに、セキュリティ受信機６には、当該セキュリティ受信機の構成各部／回路を制御するためのＣＰＵ（以下、受信機ＣＰＵという。）６００と、セキュリティ親機４の住戸外用電源回路４０４から供給されてくるＤＣ電源を当該セキュリティ受信機の構成各部／回路に動作電源として供給するための電源回路（以下、受信機電源回路という。）６０１と、受信機電源回路６０１から供給されるＤＣ電源を、玄関子機１を動作させるために必要な電源として供給する子機用電源回路６０２と、来訪者により玄関子機１の呼出ボタン１００が操作されたことを検出するための呼出検出回路６０３と、住戸外セキュリティ送信機５から無線電波で送信されてくるセキュリティ信号およびＦＭ信号を受信するための住戸外受信回路６０４と、住戸外受信回路６０４にて受信されたＦＭ信号を復調した後、復調されたセキュリティ映像信号をケーブルＬ1を伝送させるために変調（ＦＭ変調）する変調回路（以下、受信機変調回路という。）６０５と、セキュリティ親機４の親機ＣＰＵ４０２にて生成される警報信号、すなわち、警報機７にて警報報知を行うための警報信号を無線電波で送信する住戸外送信回路６０６と、子機用電源回路６０２、呼出検出回路６０３の各部／回路および後述する切替回路６０９の間で送受信される各種信号、動作電源（ＤＣ電源）の伝送ラインを形成するためのインターフェース（以下、子機側受信機Ｉ／Ｆという。）６０７と、受信機ＣＰＵ６００、受信機電源回路６０１、受信機変調回路６０５の各部／回路および後述する切替回路６１０の間で送受信される各種信号、動作電源（ＤＣ電源）の伝送ラインを形成するためのインターフェース（以下、住戸内側受信機Ｉ／Ｆという。）６０８と、玄関子機１および居室親機２の間が通話中、または当該玄関子機の子機カメラ１０１にて撮像された映像が当該居室親機のモニタ２０１に表示中の場合には、ケーブルＬ1を介して玄関子機１および居室親機２の間を直接接続させるように第１の接点Ｐ1がメイクされる、一方、前述の通話中または表示中以外、例えば、待受時においては、ケーブルＬ1を介してセキュリティ親機４および当該セキュリティ受信機の間を直接接続させるように第２の接点Ｐ2がメイクされる切替回路（以下、子機側受信機切替回路、住戸内側受信機切替回路とそれぞれいう。）６０９、６１０とが備えられている。
【００３２】
このように構成された本発明の実施例によるセキュリティインターホン装置において、以下、具体的な動作について説明する。
【００３３】
図１のシステム構成図および図２のブロック図にセキュリティインターホン装置が待受状態、例えば、玄関に来訪者が居らず玄関子機１の呼出ボタン１００を操作するような呼出操作も行われておらず、ゆえに、玄関子機１および居室親機２の間が通話中または当該玄関子機の子機カメラ１０１にて撮像された映像が当該居室親機のモニタ２０１に表示中以外の待受時には、図２のブロック図に示すセキュリティ親機４の親機ＣＰＵ４０２およびセキュリティ受信機６の受信機ＣＰＵ６００の制御（詳述せず）により、居室側親機切替回路４１２、住戸外側親機切替回路４１３、子機側受信機切替回路６０９および住戸内側受信機切替回路６１０の第２の接点Ｐ2がそれぞれメイクされ、セキュリティ親機４の親機電源回路４０３から住戸外用電源回路４０４、住戸外側親機Ｉ／Ｆ４１１、住戸外側親機切替回路４１３の第２の接点Ｐ2、ケーブルＬ1、セキュリティ受信機６の住戸内側受信機切替回路６１０の第２の接点Ｐ2、住戸内側受信機Ｉ／Ｆ６０８、受信機電源回路６０１、子機用電源回路６０２、子機側受信機Ｉ／Ｆ６０７、子機側受信機切替回路６０９の第２の接点Ｐ2、ケーブルＬ1を介して玄関子機１までの電源供給ライン（以下、第１の電源供給ラインという。）が形成される。
【００３４】
前述のような待受時において、セキュリティ親機４の住戸外用電源回路４０４は、親機電源回路４０３にて生成、すなわち、商用電源（ＡＣ１００Ｖ）を整流・平滑化させたＤＣ電源であり、当該セキュリティ親機の構成各部／回路に動作電源として供給されているＤＣ電源を玄関子機１およびセキュリティ受信機６を動作させるために必要な所定の電位レベルに調整し、調整されたＤＣ電源を前述の第１の電源供給ラインを介してセキュリティ受信機６の受信機電源回路６０１へと供給する。
【００３５】
また、セキュリティ受信機６の受信機電源回路６０１は、セキュリティ親機４の住戸外用電源回路４０４から供給されてきたＤＣ電源を受け当該セキュリティ受信機の構成各部／回路に動作電源として供給するばかりでなく、子機用電源回路６０２から前述の第１の電源供給ラインを介して玄関子機１に待受時用の動作電源として供給させる。
【００３６】
次に、前述のような待受時において、玄関に居る来訪者が住戸内に在室中の居住者を呼び出すために玄関子機１の呼出ボタン１００を操作すると、ケーブルＬ1、セキュリティ受信機６の子機側受信機切替回路６０９の第２の接点Ｐ2、子機側受信機Ｉ／Ｆ６０７を介して呼出検出回路６０３へと呼出信号（以下、呼出起動信号という。）が伝送される。
【００３７】
セキュリティ受信機６の呼出検出回路６０３は、玄関子機１からの呼出起動信号をもとに玄関に居る来訪者から住戸内に在室中の居住者への呼び出しがあることを検出し、その旨の呼出検出信号を生成する。この呼出検出信号は、呼出検出回路６０３から受信機ＣＰＵ６００、住戸内側受信機Ｉ／Ｆ６０８、住戸内側受信機切替回路６１０の第２の接点Ｐ2、ケーブルＬ1、セキュリティ親機４の住戸外側親機切替回路４１３の第２の接点Ｐ2、住戸外側親機Ｉ／Ｆ４１１を介して親機ＣＰＵ４０２へと伝送される。
【００３８】
セキュリティ親機４の親機ＣＰＵ４０２は、セキュリティ受信機６の呼出検出回路６０３からの呼出検出信号をもとに玄関に居る来訪者から住戸内に在室中の居住者への呼び出しがあることを検出し、検出された旨の呼出音を居室親機２の親機スピーカ２００から放音するために呼出送出回路４０６を制御して呼出信号を生成させる。この呼出信号は、呼出送出回路４０６から居室側親機Ｉ／Ｆ４１０、居室側親機切替回路４１２の第２の接点Ｐ2、ケーブルＬ1を介して居室親機２へと伝送される。
【００３９】
居室親機２では、セキュリティ親機４の呼出検出回路４０６からの呼出信号を検出すると、玄関に居る来訪者から住戸内に在室中の居住者への呼び出しがある旨の呼出音を親機スピーカ２００から放音させて呼出報知することができる。
【００４０】
また、セキュリティ親機４の親機ＣＰＵ４０２およびセキュリティ受信機６の受信機ＣＰＵ６００は、呼出送出回路４０６からの呼出信号をケーブルＬ1を介して居室親機２へと伝送させた後、例えば、居室親機２の親機スピーカ２００から呼出音が放音された後のタイミングで、居室側親機切替回路４１２、住戸外側親機切替回路４１３、子機側受信機切替回路６０９および住戸内側受信機切替回路６１０をそれぞれ切り替えて第１の接点Ｐ1をメイクさせることにより、玄関子機１とケーブルＬ1、セキュリティ受信機６の子機側受信機切替回路６０９の第１の接点Ｐ1、住戸内側受信機切替回路６１０の第１の接点Ｐ1、ケーブルＬ1、セキュリティ親機４の住戸外側親機切替回路４１３の第１の接点Ｐ1、居室側親機切替回路４１２の第１の接点Ｐ1、ケーブルＬ1を介して居室親機２との間の信号伝送ラインが形成されるとともに、居室親機２からケーブルＬ1、セキュリティ親機４の居室側親機切替回路４１２の第１の接点Ｐ1、住戸外側親機切替回路４１３の第１の接点Ｐ1、ケーブルＬ1、セキュリティ受信機６の住戸内側受信機切替回路６１０の第１の接点Ｐ1、子機側受信機切替回路６０９の第１の接点Ｐ1、ケーブルＬ1、玄関子機１までの電源供給ライン（以下、第２の電源供給ラインという。）が形成され、居室親機２にて生成、すなわち、商用電源（ＡＣ電源）を整流・平滑化させたＤＣ電源が前述の第２の電源供給ラインを介して玄関子機１へと供給されることにより、このＤＣ電源が玄関子機１の映像撮像時用および通話時用の動作電源となる。
【００４１】
また、居室親機２からの電源供給により動作が開始された玄関子機１の子機カメラ１０１は、呼出操作を行った来訪者の映像や玄関先の周囲環境の映像を撮像する。この映像は、変調（ＦＭ変調）されたＦＭ信号として前述の信号伝送ラインを介して居室親機２へと伝送され、復調（ＦＭ復調）された後、モニタ２０１に表示させることができる。
【００４２】
さらに、居室親機２の親機スピーカ２００から放音された呼出音とモニタ２０１に表示された映像をもとに来訪者からの呼び出しがあることを当該来訪者の識別と併せて確認した居住者がハンドセット２０２を取り上げると、居住者が使用する居室親機２のハンドセット２０２と前述の第１の信号伝送ラインを介して来訪者が使用する玄関子機１の子機マイク１０２および子機スピーカ１０３との間の通話ラインが形成され、形成された通話ラインを介して音声信号を送受信させることにより通話を成立させることができ、特に、居住者にとっては来訪者の映像を確認しながら通話を成立させることができる。
【００４３】
次に、前述のような待受時において、住戸内にてセキュリティ異常が発生、例えば、ガス漏れ、火災等が発生すると、このセキュリティ異常を検出した住戸内セキュリティ送信機３にてセキュリティ信号（以下、住戸内セキュリティ信号という。）が生成される。この住戸内セキュリティ信号には、当該住戸内セキュリティ送信機に予め割り当てられている個別のＩＤコードが付加されており、無線電波でセキュリティ親機４へと送信される。
【００４４】
セキュリティ親機４の住戸内受信回路４０５は、住戸内セキュリティ送信機３からの無線電波を受信し、電気信号に信号処理させた住戸内セキュリティ信号を親機ＣＰＵ４０２へと出力する。
【００４５】
セキュリティ親機４の親機ＣＰＵ４０２は、住戸内受信回路４０５からの住戸内セキュリティ信号に付加されているＩＤコードが警戒・解除設定ボタン４００の操作により予め設定されているＩＤコードと一致した場合には、住戸内にてセキュリティ異常が発生、例えば、ガス漏れ、火災等が発生したセキュリティ異常状態であることを検出し、検出された旨の警報音の鳴動および／または文字や絵データ等のセキュリティ表示を警報報知部４０１にて行い、同様に検出された旨の警報音を居室親機２の親機スピーカ２００から鳴動するために呼出送出回路４０６を制御して呼出信号（以下、住戸内警報呼出信号という。）を生成させるともに、同様に検出された旨の文字や絵データ等のセキュリティ画面を居室親機２のモニタ２０１にセキュリティ表示させるために描画回路４０７を制御し、併せて、同様に検出された旨を警報機７にて警報報知させるための警報信号（以下、住戸内セキュリティ警報信号という。）を生成する。
【００４６】
ここで、セキュリティ親機４の呼出送出回路４０６にて生成された住戸内警報呼出信号は、居室側親機Ｉ／Ｆ４１０、居室側親機切替回路４１２の第２の接点Ｐ2、ケーブルＬ1を介して居室親機２へと伝送され、住戸内にてセキュリティ異常が発生、例えば、ガス漏れ、火災等が発生した旨の警報音を親機スピーカ２００から鳴動させることができる。
【００４７】
また、セキュリティ親機４の描画回路４０７にて描画されたセキュリティ画面は、画面信号（以下、住戸内セキュリティ画面信号という。）に信号処理され、親機変調回路４０８を介して変調（ＦＭ変調）された後、居室側親機Ｉ／Ｆ４１０、居室側親機切替回路４１２の第２の接点Ｐ2、ケーブルＬ1を介して居室親機２へと伝送される。
【００４８】
居室親機２では、セキュリティ親機４の親機変調回路４０８からのＦＭ信号を住戸内セキュリティ画面信号へと復調し、住戸内にてセキュリティ異常が発生、例えば、ガス漏れ、火災等が発生した旨の文字や絵データ等のセキュリティ画面をモニタ２０１にセキュリティ表示させることができ、このセキュリティ表示は、前述の警報音が親機スピーカ２００から鳴動されている鳴動時において行われ、住戸内への適切かつ迅速な警報報知が可能となり防犯性や安全性が高められる。
【００４９】
さらに、セキュリティ親機４の親機ＣＰＵ４０２にて生成された住戸内セキュリティ警報信号は、住戸外側親機Ｉ／Ｆ４１１、住戸外側親機切替回路４１３の第２の接点Ｐ2、ケーブルＬ1、セキュリティ受信機６の住戸内側受信機切替回路６１０の第２の接点Ｐ2、住戸内側受信機Ｉ／Ｆ６０８を介して受信機ＣＰＵ６００へと伝送される。
【００５０】
セキュリティ受信機６の受信機ＣＰＵ６００は、セキュリティ親機４の親機ＣＰＵ４０２からの住戸内セキュリティ警報信号を住戸外送信回路６０６を介して無線電波で警報機７へと送信させる。
【００５１】
警報機７では、セキュリティ受信機６の住戸外送信回路６０６からの無線電波である住戸内セキュリティ警報信号を受信すると、住戸内にてセキュリティ異常が発生、例えば、ガス漏れ、火災等が発生した旨の警報音の鳴動および／または光の点滅を行うことにより、住戸の外壁等の影響を受けずに近隣の住戸等、周囲環境下への適切かつ迅速な警報報知が可能となり防犯性や安全性が高められる。
【００５２】
次に、前述のような待受時において、住戸外にてセキュリティ異常が発生、例えば、居住者にとって好ましくない泥棒等の不審者が居たとすると、住戸外セキュリティ送信機６の太陽電池５０３にて太陽光がエネルギー変換され充電池５０４に予め充電されているＤＣ電源が送信機電源回路５０５から動作電源として供給されているセンサ５００が不審者の存在を検出（感知）し、その旨の人体感知信号を送信機ＣＰＵ５０２へと出力する。
【００５３】
住戸外セキュリティ送信機５の送信機ＣＰＵ５０２は、センサ５０４からの人体感知信号を検出すると、送信機カメラ５０１および送信機変調回路５０６の動作を開始させるとともに、当該住戸外セキュリティ送信機に予め割り当てられている個別のＩＤコードを付加させたセキュリティ信号（以下、住戸外セキュリティ信号という。）を生成する。この住戸外セキュリティ信号は、送信回路５０７から無線電波でセキュリティ受信機６へと送信される。また、送信機カメラ５０１は、センサ５００にて検出（感知）された居住者にとって好ましくない泥棒等の不審者や当該住戸外セキュリティ送信機が設置された周囲環境のセキュリティ映像の撮像を開始する。このセキュリティ映像は、送信機変調回路５０６を介して変調（ＦＭ変調）されたＦＭ信号として、前述の住戸外セキュリティ信号と同様、送信回路５０７から無線電波でセキュリティ受信機６へと送信される。
【００５４】
セキュリティ受信機６の住戸外受信回路６０４は、住戸外セキュリティ送信機５からの無線電波を受信し、電気信号に信号処理させた住戸外セキュリティ信号を受信機ＣＰＵ６００へと出力するともに、同様に電気信号に信号処理させたＦＭ信号を受信機変調回路６０５へと出力する。
【００５５】
セキュリティ受信機６の受信機ＣＰＵ６００は、住戸外受信回路６０４からの住戸外セキュリティ信号をもとに住戸外にてセキュリティ異常が発生、例えば、居住者にとって好ましくない泥棒等の不審者が居ることを検出し、受信機変調回路６０５が能動となるように制御するとともに、この住戸外セキュリティ信号を住戸内側受信機Ｉ／Ｆ６０８、住戸内側受信機切替回路６１０の第２の接点Ｐ2、ケーブルＬ1、セキュリティ親機４の住戸外側親機切替回路４１３の第２の接点Ｐ2、住戸外側親機Ｉ／Ｆ４１１を介して親機ＣＰＵ４０２へと出力する。
【００５６】
また、セキュリティ受信機６の受信機変調回路６０５は、住戸外受信回路６０４からのＦＭ信号を復調した後、復調されたセキュリティ映像信号をケーブルＬ1を伝送させるために変調（ＦＭ変調）する。変調されたＦＭ信号は、受信機変調回路６０５から住戸内側受信機Ｉ／Ｆ６０８、住戸内側受信機切替回路６１０の第２の接点Ｐ2、ケーブルＬ1、セキュリティ親機４の住戸外側親機切替回路４１３の第２の接点Ｐ2、住戸外側親機Ｉ／Ｆ４１１を介してフィルタ回路４０９へと伝送される。
【００５７】
セキュリティ親機４の親機ＣＰＵ４０２は、住戸外セキュリティ送信機５からの住戸外セキュリティ信号に付加されているＩＤコードが警戒・解除設定ボタン４００の操作により予め設定されているＩＤコードと一致した場合には、住戸外にてセキュリティ異常が発生、例えば、居住者にとって好ましくない泥棒等の不審者が居りセキュリティ異常状態であることを検出し、フィルタ回路４０９が能動となるように制御するとともに、検出された旨の警報音の鳴動および／または文字や絵データ等のセキュリティ表示を警報報知部４０１にて行い、同様に検出された旨の警報音を居室親機２の親機スピーカ２００から鳴動するために呼出送出回路４０６を制御して呼出信号（以下、住戸外警報呼出信号という。）を生成し、さらに、同様に検出された旨の文字や絵データ等のセキュリティ画面を居室親機２のモニタ２０１にセキュリティ表示させるために描画回路４０７を制御し、併せて、同様に検出された旨を警報機７にて警報報知させるための警報信号（以下、住戸外セキュリティ警報信号という。）を生成する。
【００５８】
ここで、セキュリティ親機４の呼出送出回路４０６にて生成された住戸外警報呼出信号は、前述の住戸内警報呼出信号と同様な経路を介して居室親機２へと伝送され、住戸外にてセキュリティ異常が発生、例えば、居住者にとって好ましくない泥棒等の不審者が居る旨の警報音を親機スピーカ２００から鳴動させることができる。
【００５９】
また、セキュリティ親機４の描画回路４０７にて描画されたセキュリティ画面は、画面信号（以下、住戸外セキュリティ画面信号という。）に信号処理され、親機変調回路４０８を介して変調（ＦＭ変調）された後、前述の住戸内セキュリティ画面信号と同様な経路を介して居室親機２へと伝送される。
【００６０】
さらに、セキュリティ親機４のフィルタ回路４０９は、セキュリティ受信機６の受信機変調回路６０５からのＦＭ信号のノイズ成分を除去した後、このＦＭ信号を居室側親機Ｉ／Ｆ４１０、居室側親機切替回路４１２の第２の接点Ｐ2、ケーブルＬ1を介して居室親機２へと出力する。
【００６１】
居室親機２では、セキュリティ親機４の親機変調回路４０８からのＦＭ信号を住戸内セキュリティ画面信号へと復調し、住戸外にてセキュリティ異常が発生、例えば、居住者にとって好ましくない泥棒等の不審者が居る旨の文字や絵データ等のセキュリティ画面をモニタ２０１にセキュリティ表示させることができ、このセキュリティ表示は、前述の警報音が親機スピーカ２００から鳴動されている鳴動時において行われるとともに、セキュリティ親機４のフィルタ回路４０９からのＦＭ信号を住戸外セキュリティ映像信号へと復調し、住戸内セキュリティ送信機５の送信機カメラ５０１にて撮像された居住者にとって好ましくない泥棒等の不審者や当該住戸外セキュリティ送信機が設置された周囲環境のセキュリティ映像をモニタ２０１に表示させことができ、住戸内への適切かつ迅速な警報報知が可能となり防犯性や安全性が高められる。
【００６２】
さらに、セキュリティ親機４の親機ＣＰＵ４０２にて生成された住戸外セキュリティ警報信号は、前述の住戸内セキュリティ警報信号と同様な経路を介してセキュリティ受信機６の受信機ＣＰＵ６００へと伝送される。
【００６３】
セキュリティ受信機６の受信機ＣＰＵ６００は、セキュリティ親機４の親機ＣＰＵ４０２からの住戸外セキュリティ警報信号を住戸外送信回路６０６を介して無線電波で警報機７へと送信させる。
【００６４】
警報機７では、セキュリティ受信機６の住戸外送信回路６０６からの無線電波である住戸外セキュリティ警報信号を受信すると、住戸外にてセキュリティ異常が発生、例えば、居住者にとって好ましくない泥棒等の不審者が居る旨の警報音の鳴動および／または光の点滅を行うことにより、住戸の外壁等の影響を受けずに近隣の住戸等、周囲環境下への適切かつ迅速な警報報知が可能となり防犯性や安全性が高められる。
【００６５】
なお、本発明の実施例によれば、住戸外にて発生したセキュリティ異常を検出するための住戸外セキュリティ送信機として、センサカメラからなる住戸外セキュリティ送信機（セキュリティ送信機）５を適用したが、このセンサカメラに限定されず、当該センサカメラに照明機能としてライトを有するセンサライトカメラの適用も好適とされ、送信機カメラ５０１にて撮像され居室親機２のモニタ２０１に表示されるセキュリティ映像を、夜間時等、より鮮明で高い視認性を確保することができる。
【産業上の利用可能性】
【００６６】
本発明の実施例によれば、住戸内または住戸外にて発生したセキュリティ異常を警報報知する機器として、居室親機２、セキュリティ親機４および警報機７を適用したが、これらの機器に限定されず、セキュリティ親機４の呼出送出回路４０６にて生成される呼出信号（住戸内警報呼出信号、住戸外警報呼出信号）を玄関子機１へと伝送させ、当該玄関子機の子機スピーカ１０３から警報音を鳴動させたり、このセキュリティ親機４に警備会社等のサーバ（図示せず）が接続されている場合には、親機ＣＰＵ４０２にて検出されたセキュリティ異常を警報移報することもできる。
【００６７】
また、本発明の実施例によれば、住戸内に在室中の居住者が通話を行うにあたり、居室親機２のハンドセット２０２を使用してハンドセット通話を成立させる場合を説明したが、この通話方法／手段に限定されず、当該居室親機に親機スピーカ２００のみならずマイク、通話（応答）ボタンを設けて拡声通話を成立させることもできる。
【図面の簡単な説明】
【００６８】
【図１】本発明の実施例によるセキュリティインターホン装置を示すシステム構成図。
【図２】本発明の実施例によるセキュリティインターホン装置の具体的な構成を示すブロック図。
【符号の説明】
【００６９】
１……玄関子機
１０１……子機カメラ（カメラ）
２……居室親機
２０１……モニタ
３……住戸内セキュリティ送信機（セキュリティ送信機）
４……セキュリティ親機
４０４……住戸外用電源回路
４０６……呼出送出回路
４０７……描画回路
４１２……居室側親機切替回路（切替回路）
４１３……住戸外側親機切替回路（切替回路）
５……住戸外セキュリティ送信機（セキュリティ送信機）
５０３……太陽電池
５０４……充電池
５０７……送信回路
６……セキュリティ受信機
６０２……子機用電源回路
６０４……住戸外受信回路
６０６……住戸外送信回路
６０９……子機側受信機切替回路（切替回路）
６１０……住戸内側受信機切替回路（切替回路）
７……警報機
Ｌ1……ケーブル
【図１】
2006065468.tif 000003
【図２】
2006065468.tif 000004